(57)【要約】【課題】卵型の外殻体を、長軸周りに存在する多数の長手方向の中から任意に選択された長手方向のみに沿って円滑に回転させることができる転がし玩具を提供すること。【解決手段】本発明の転がし玩具１では、卵型の外形を呈する中空の外殻体２と、この外殻体２の内周面１０ａ,２０ａに設けられた錘部材３と、を備えている。そして、前記錘部材３を、外殻体２の長手方向に沿って、内周面１０ａ,２０ａの全周に配置する構成とした。【選択図】図１
2017225536.tif 000002
【特許請求の範囲】
【請求項１】
卵型の外形を呈する中空の外殻体と、
前記外殻体の内周面に設けられた錘部材と、を備え、
前記錘部材は、前記外殻体の長手方向に沿って、前記内周面の全周に配置されている
ことを特徴とする転がり玩具。
【請求項２】
請求項１に記載された転がり玩具において、
前記外殻体の外周面には、前記錘部材の配置位置に対応する位置の一部であって、鈍端を含む領域に平坦面が形成されている
ことを特徴とする転がり玩具。
【請求項３】
請求項１又は請求項２に記載された転がり玩具において、
前記外殻体の外周面には、前記錘部材の配置位置を示す目印が設けられている
ことを特徴とする転がり玩具。
【請求項４】
請求項１から請求項３のいずれか一項に記載された転がり玩具において、
前記外殻体は、非磁性材料で形成され、前記錘部材は、磁性金属によって形成されている
ことを特徴とする転がり玩具。
【請求項５】
請求項１から請求項４のいずれか一項に記載された転がり玩具において、
前記外殻体は、内周面から起立し、前記錘部材に干渉しない位置で内部空間を仕切る補強リブを有している
ことを特徴とする転がり玩具。
【発明の詳細な説明】
【技術分野】
【０００１】
本発明は、卵型の外形形状を有し、平坦な面の上で転がして遊ぶ転がし玩具に関するものである。
【背景技術】
【０００２】
従来、卵型の中空の外殻体の内部に回転駆動機構を設け、この回転駆動機構によって外殻体の長手方向に沿っておもり付き転動輪を回転させることで、自力で転がる転がし玩具が知られている（例えば、特許文献１参照）。また、卵型の外殻体の内部に長軸に沿った空間を形成し、この空間内に錘部材を移動可能に配置した転がし玩具が知られている（例えば、特許文献２参照）。
【先行技術文献】
【特許文献】
【０００３】
【特許文献１】実開平０１-８２０９３号公報
【特許文献２】実開昭６３-１８９２９５号公報
【発明の概要】
【発明が解決しようとする課題】
【０００４】
しかしながら、従来の転がし玩具にあっては、回転する外殻体の内部で錘部材が移動するため、外殻体の回転に伴う重心移動と錘部材の移動に伴う重心移動とがそれぞれ生じる。そのため、全体の重心が複雑に変動してしまい、外殻体を一つの長手方向に沿って回転させようしても、安定して円滑に回転させることが難しいという問題があった。
【０００５】
本発明は、上記問題に着目してなされたもので、卵型の外殻体を長軸周りに存在する多数の長手方向の中から任意に選択された長手方向のみに沿って円滑に回転させることができる転がし玩具を提供することを目的としている。
【課題を解決するための手段】
【０００６】
上記目的を達成するため、本発明は、卵型の外形を呈する中空の外殻体と、外殻体の内周面に設けられた錘部材と、を備えている。そして、前記錘部材は、外殻体の長手方向に沿って、内周面の全周に配置されている。
【発明の効果】
【０００７】
よって、本発明の転がし玩具では、外殻体を、錘部材が配置された長手方向に沿って回転させたとき、外殻体と錘部材とが一体になって回転するので、回転時に全体の重心が複雑に変動することがない。また、この錘部材に作用する遠心力によって、外殻体は錘部材の設置方向に沿ってのみ安定して回転する。この結果、卵型の外殻体を長軸周りに存在する多数の長手方向の中から任意に選択された長手方向（錘部材の設置方向に沿った方向）のみに沿って円滑に回転させることができる。
【図面の簡単な説明】
【０００８】
【図１】実施例１の転がし玩具の外観斜視図である。
【図２】実施例１の転がし玩具の分解斜視図である。
【図３】実施例１の転がし玩具の縦断面図である。
【図４】実施例１の転がし玩具の鈍端の平面図である。
【図５】実施例１の転がし玩具の尖端の平面図である。
【図６】実施例１の転がし玩具を回転させたときの回転状態を示す説明図であり、回転方向と錘部材の設置方向とが一致した状態を示す。
【図７】実施例１の転がし玩具を回転させたときの回転状態を示す説明図であり、回転方向と錘部材の設置方向とが約４５度ずれた状態を示す。
【図８】実施例１の転がし玩具を回転させたときの回転状態を示す説明図であり、回転方向と錘部材の設置方向とが約９０度ずれた状態を示す。
【図９】実施例１の転がし玩具の他の例を示す外観斜視である。
【発明を実施するための形態】
【０００９】
以下、本発明の転がし玩具を実施するための形態を、図面に示す実施例１に基づいて説明する。
【００１０】
（実施例１）
［構成］
図１は実施例１の転がし玩具の外観斜視図であり、図２は分解斜視図である。また、図３は実施例１の転がし玩具の縦断面図である。さらに、図４は鈍端の平面図であり、図５は尖端の平面図である。以下、図１〜図５に基づいて、実施例１の転がし玩具の構成を説明する。
【００１１】
実施例１の転がし玩具１は、子供や幼児等が手に取って、転がしたり、バランスよく起立させたり、さらにその場で回転させたりして遊ぶ玩具である。この転がし玩具１は、図１及び図２に示すように、外殻体２と、この外殻体２に内蔵された錘部材３と、を備えている。
【００１２】
前記外殻体２は、例えばポリ塩化ビニルやポリエチレンテレフタレート等の非磁性材料である合成樹脂によって形成され、外形形状が卵型を呈した中空部材である。
ここで「卵型」とは、回転楕円体（長軸を中心に楕円を回転させた際に得られる立体）に似ているが、長手方向の一方の端部の曲率が、長軸方向の他方の端部の曲率よりも小さい立体である。ここでは、曲率の比較的小さい長手方向端部を「鈍端Ｄ」と呼び、曲率の比較的大きい長手方向端部を「尖端Ｓ」と呼ぶ。
なお、この実施例１では、外殻体２は、一般的なＭサイズの鶏卵とほぼ同等の大きさである。しかしながら、外殻体２の大きさについて制約はなく、任意の大きさに設定することが可能である。
【００１３】
実施例１の外殻体２は、図２に示すように、鈍端Ｄと尖端Ｓの間のほぼ中央位置で長軸に対して水平となる方向に２分割され、鈍端Ｄ側の第１外殻体１０と、尖端Ｓ側の第２外殻体２０と、を有している。なお、外殻体２の分割数は２分割に限定されず、任意に設定することが可能である。また、この外殻体は、長軸方向に沿って分割するものであってもよい。
【００１４】
前記第１外殻体１０は、開口１１の内側周縁に、第２外殻体２０の開口２１に嵌合する段差凸部１１ａが形成されている。そして、第１外殻体１０の内部には、図２及び図３に示すように、錘支持部１２と、一対の補強リブ１３Ａ,１３Ｂと、複数（ここでは４本）の突起部１４と、が形成されている。さらに、この第１外殻体１０は、外周面１０ｂに平坦部１５が形成され、この平坦部１５の周囲に複数（ここでは４個）の貫通孔１６が形成されている（図４参照）。
【００１５】
前記錘支持部１２は、第１外殻体１０の内周面１０ａから、この第１外殻体１０の開口１１に向かって起立し、鈍端Ｄを挟んで平行に対向した一対の壁面１２ａ,１２ａによって構成されている。この一対の壁面１２ａ,１２ａの間に生じた隙間寸法Ｌ１は、錘部材３の厚み寸法Ｗより僅かに大きくなるように設定されている。また、一対の壁面１２ａ,１２ａの端部は、段差凸部１１ａの先端面と面一になっている（図３参照）。さらにここでは、錘支持部１２が鈍端Ｄを挟んで対向した状態で形成されている。
【００１６】
前記一対の補強リブ１３Ａ,１３Ｂは、第１外殻体１０の内周面１０ａから、この第１外殻体１０の開口１１に向かって起立し、錘支持部１２の一対の壁面１２ａ,１２ａを挟んで平行に対向している。この一対の補強リブ１３Ａ,１３Ｂの端部は、段差凸部１１ａの先端面と面一になっている（図３参照）。さらにここでは、一対の補強リブ１３Ａ,１３Ｂは、いずれも半月形状を呈している。
【００１７】
前記複数の突起部１４は、第１外殻体１０の内周面１０ａから外殻体２の長軸Ｏ方向に沿って起立した棒状部材であり、先端１４ａが開口１１から突出している。ここでは、一対の補強リブ１３Ａ,１３Ｂよりも外側（鈍端Ｄから離れた位置）に設けられている。
【００１８】
前記平坦部１５は、図４に示すように、鈍端Ｄを中心とした所定の円形領域であり、第１外殻体１０の外周面１０ｂを僅かにへこませて、平坦な面にすることで形成されている（図３参照）。
【００１９】
前記貫通孔１６は、第１外殻体１０を貫通する穴であり、図４に示すように、平坦部１５を取り囲む位置であって、鈍端Ｄを中心として対称となる４か所に形成されている。なお、この貫通孔１６は、第１外殻体１０を誤飲した際の気道確保のための穴である。
【００２０】
前記第２外殻体２０は、開口２１の内側周縁に、第１外殻体１０の開口１１に形成された段差凸部１１ａに噛み合う段差凹部２１ａが形成されている（図３参照）。そして、この第２外殻体２０の開口２１と、第１外殻体１０の開口１１とを対向させ、開口２１の内側に段差凸部１１ａを差し込んで、この段差凸部１１ａを段差凹部２１ａに噛み合わせることで、第１外殻体１０と第２外殻体２０とが結合し、卵型の外殻体２を形成する。
【００２１】
また、第２外殻体２０の内部には、図２及び図３に示すように、錘支持部２２と、一対の補強リブ２３Ａ,２３Ｂと、複数（ここでは４か所）の凹溝部２４と、が形成されている。さらに、この第２外殻体２０には、尖端Ｓを挟んで対称となる位置に、複数（ここでは２個）の貫通孔２６が形成されている。
【００２２】
前記錘支持部２２は、第２外殻体２０の内周面２０ａから、この第２外殻体２０の開口２１に向かって起立し、尖端Ｓを挟んで平行に対向した一対の壁面２２ａ,２２ａによって構成されている。この一対の壁面２２ａ,２２ａの間に生じた隙間寸法Ｌ２は、錘部材３の厚み寸法Ｗより僅かに大きくなるように設定されている。また、一対の壁面２２ａ,２２ａの端部は、段差凹部２１ａの先端面と面一になっている（図３参照）。さらにここでは、錘支持部２２が鈍端Ｄを挟んで対向した状態で形成されている。
そして、この錘支持部２２は、第１外殻体１０と第２外殻体２０とを結合して卵型の外殻体２を形成した際、第１外殻体１０に形成された錘支持部１２に対して長軸Ｏ方向に対向する（図３参照）。
【００２３】
前記一対の補強リブ２３Ａ,２３Ｂは、第２外殻体２０の内周面２０ａから、この第２外殻体２０の開口２１に向かって起立し、錘支持部２２の一対の壁面２２ａ,２２ａを挟んで平行に対向している。この一対の補強リブ２３Ａ,２３Ｂの端部は、段差凹部２１ａの先端面と面一になっている（図３参照）。さらにここでは、一対の補強リブ２３Ａ,２３Ｂは、いずれも半月形状を呈している。
そして、この一対の補強リブ２３Ａ,２３Ｂは、第１外殻体１０と第２外殻体２０とを結合して卵型の外殻体２を形成した際、第１外殻体１０に形成された一対の補強リブ１３Ａ,１３Ｂに対向し、端部が接触して外殻体２の内部空間を区画する（図３参照）。
【００２４】
前記複数の凹溝部２４は、第２外殻体２０の内周面２０ａに設けられると共に、外殻体２の長軸Ｏ方向に沿う４本の棒状部材２４ａの内側にそれぞれ形成された凹み部分である。この凹溝部２４が形成された棒状部材２４ａは、一対の補強リブ２３Ａ,２３Ｂよりも外側（尖端Ｓから離れた位置）であって、第１外殻体１０に形成された突起部１４に対向する位置に設けられている。一方、凹溝部２４は、差し込み可能な内径寸法及び奥行寸法を有している。そして、凹溝部２４が形成された棒状部材２４ａは、先端２４ｂが段差凹部２１ａの先端面と面一になっている。
【００２５】
前記貫通孔２６は、第２外殻体２０を貫通する穴であり、図５に示すように、尖端Ｓを通ると共に、錘部材３の配置位置に対して直交する軸線Ｊ上に、尖端Ｓを挟んで対称となる位置に形成されている。なお、この貫通孔２６は、第２外殻体２０を誤飲した際の気道確保のための穴である。
【００２６】
前記錘部材３は、例えば鉄や鉄を含む合金等の磁性材料によって形成され、外殻体２の長手方向の内周形状に沿う外形輪郭を有する板部材である。ここで「磁性材料」とは、磁石につく性質を有する材料である。
この錘部材３は、ここでは、同形状の２枚のプレート３ａ,３ａを厚み方向に重ね合わせることで形成されている。各プレート３ａ,３ａは、いずれも中心部分に貫通孔３ｂが形成されており、所定の幅を有するリング形状を呈している。
【００２７】
そして、前記錘部材３は、重ね合わせた２枚のプレート３ａ,３ａが、第１外殻体１０の錘支持部１２の一対の壁面１２ａ,１２ａと、第２外殻体２０の錘支持部２２の一対の壁面２２ａ,２２ａとの間にそれぞれ入り込み、第１外殻体１０と第２外殻体２０とによって挟み込まれることで、外殻体２の内周面１０ａ,２０ａの全周に沿って設けられる。
また、この錘部材３は、外殻体２の長軸Ｏ周りに存在する多数の長手方向の中から任意に選択された一つの長手方向に沿って配置されることになるが、錘部材３が配置される外殻体２の長手方向は、錘支持部１２及び錘支持部２２の位置に依存して決められる。
【００２８】
そして、この実施例１の転がし玩具１では、図１に示すように、外殻体２の外周面１０ｂ,２０ｂに、錘部材３の配置位置を示すイラスト４（目印）が設けられている。ここで、イラスト４は、錘部材３の配置位置に重なる位置に設けられ、この錘部材３が設けられた長手方向に方向性を有するものである。実施例１では、錘部材３の配置位置にイラスト４の周方向の中心位置が重なり、且つ、尖端Ｓを上側とし、鈍端Ｄを下側とする犬の顔を模したイラスト４を設けている。
【００２９】
［転がし玩具の組み立て方法］
実施例１の転がし玩具１を組み立てるには、まず、鈍端Ｄを下方に向けると共に開口１１を上方に向けた状態で第１外殻体１０を固定する（図２参照）。
【００３０】
次に、錘部材３の２枚のプレート３ａ,３ａを重ね合わせたら、第１外殻体１０の内周面１０ａに形成された錘支持部１２の一対の壁面１２ａ,１２ａの間に差し込む。これにより、錘部材３の下側半分が、第１外殻体１０の内周面１０ａに沿った状態で保持される。
【００３１】
そして、錘部材３を第１外殻体１０の内部に配置したら、尖端Ｓを上方に向ける共に開口２１を下方に向けた状態で、第２外殻体２０を第１外殻体１０に結合していく。このとき、第１外殻体１０に形成された複数の突起部１４を、第２外殻体２０に形成された複数の凹溝部２４に差し込むことで位置決めがなされる。
また、第２外殻体２０を第１外殻体１０に結合する際、突起部１４及び凹溝部２４によって位置決めがなされると同時に、第２外殻体２０の内周面２０ａに形成された錘支持部２２の一対の壁面２２ａ,２２ａの間に、錘部材３が差し込まれる。
【００３２】
そして、第１外殻体１０の開口１１に形成された段差凸部１１ａが、第２外殻体２０の開口２１の内側に嵌合し、この段差凸部１１ａと段差凹部２１ａとが噛み合って、第１外殻体１０と第２外殻体２０とが一体に固定される。これにより、外殻体２が形成される。
【００３３】
また、このとき、錘部材３は、錘支持部１２の一対の壁面１２ａ,１２ａ及び錘支持部２２の一対の壁面２２ａ,２２ａの間に差し込まれ、外殻体２の内周面１０ａ,２０ａに沿って配置されることになる。この結果、転がし玩具１が組み立てられる。
【００３４】
なお、第１,第２外殻体１０,２０を連結すると、第１外殻体１０に形成された補強リブ１３Ａ,１３Ｂと、第２外殻体２０に形成された補強リブ２３Ａ,２３Ｂとの端部が接触し、外殻体２の内部空間が区画される（図３参照）。
【００３５】
［作用］
図６〜図８は、実施例１の転がし玩具を回転させたときの回転状態を示す説明図であり、図６は回転方向と錘部材の設置方向とが一致した状態を示し、図７は回転方向と錘部材の設置方向とが約４５度ずれた状態を示し、図８は回転方向と錘部材の設置方向とが約９０度ずれた状態を示す。以下、図６〜図８に基づき、実施例１の転がし玩具の作用を説明する。
【００３６】
実施例１の転がし玩具１を用いて遊ぶときには、まず、転がし玩具１の外殻体２の鈍端Ｄを転がし面に向け、この鈍端Ｄを中心とした所定の円形領域である平坦部１５を転がし面に接触させる。そして、鈍端Ｄを下方に向け、尖端Ｓを上方に向けた状態で転がし玩具１を静止させる。ここで、平坦面１５が平坦な面であるので、転がし玩具１は安定して静止することができる。
その後、目印であるイラスト４を「転がし方向Ａ」の方へ向けて、イラスト４の中心位置を転がし方向Ａに正対させる。そして、この転がし玩具１を押し出して、転がし方向Ａへと転がす。
なお、「転がし方向Ａ」とは、転がし玩具１を転がした際の狙いの進み方向である。
【００３７】
ここで、転がし玩具１では、卵型の外殻体２の内部に錘部材３が設けられているが、この錘部材３は、外殻体２の長軸Ｏ周りに存在する多数の長手方向の中から任意に選択された一つの長手方向に沿って、内周面１０ａ,２０ａの全周に配置されている。これにより、この転がし玩具１を回転させた際、外殻体２と錘部材３とが一体になって回転する。つまり、外殻体２の重心位置と錘部材３の重心位置との位置関係が変化することはない。このため、転がし玩具１の回転時に、全体の重心が複雑に変動することがなく、安定して回転することができる。
【００３８】
一方、転がし玩具１を回転させたときに錘部材３に作用する遠心力は、この錘部材３の設置方向に沿う。
そのため、図６に示すように、転がし前にイラスト４の中心位置を転がし方向Ａに正対させ、この錘部材３の設置方向に対して、転がし方向Ａを一致させた状態で転がし玩具１を回転させる場合には、錘部材３に作用する遠心力の作用方向と、外殻体２が転がし方向Ａとが一致する。これにより、外殻体２は、錘部材３に作用する遠心力によって転がし方向Ａに引っ張られることになり、安定して回転することができる。
【００３９】
これに対し、図７に示すように、イラスト４の中心位置が転がし方向Ａに対して斜め４５度ずれた方向に向いているときには、錘部材３の設置方向に対して、転がし玩具１の転がし方向Ａが約４５度ずれてしまい、錘部材３に作用する遠心力の作用方向と、外殻体２の転がし方向Ａとがずれる。そのため、外殻体２は、錘部材３に作用する遠心力によって、転がし方向Ａとは異なる方向に引っ張られる。この結果、外殻体２は転がし方向Ａからずれた方向に転がってしまい、狙いの方向へと進まない。
【００４０】
さらに、図８に示すように、イラスト４の中心位置が転がし方向Ａに対して真横に向いているときには、錘部材３の設置方向に対して、転がし玩具１の転がし方向Ａが約９０度ずれてしまう。この場合、錘部材３に作用する遠心力の作用方向と、外殻体２の転がし方向Ａとがずれる。そのため、外殻体２は、錘部材３に作用する遠心力によって、転がし方向Ａとは異なる方向に引っ張られる。この結果、外殻体２は転がし方向Ａからずれた方向に転がってしまい、狙いの方向へと進まない。
【００４１】
このように、実施例１の転がし玩具１では、転がし方向Ａを錘部材３の設置方向に一致させて転がしたときには、錘部材３に作用する遠心力によって、外殻体２は転がし方向Ａに沿って安定して転がることができる。しかしながら、転がし方向Ａと錘部材３の設置方向とがずれていると、外殻体２は転がし方向Ａに沿って転がることができない。
そのため、この実施例１の転がし玩具１では、卵型の外殻体２を長軸Ｏ周りに存在する多数の長手方向の中から任意に選択された長手方向（錘部材３の設置方向）にのみに沿って円滑に回転させ、当該長手方向（錘部材３の設置方向）からずれた方向には円滑な回転を不能にすることができる。
【００４２】
これにより、転がし玩具１を転がした際、狙い通りの方向に円滑に転がる場合と、狙いとは異なる方向に転がってしまう場合とが生じ、玩具としての面白さを向上することができる。
特に、外殻体２の外周面１０ｂ,２０ｂにイラスト４のような目印を設けず、外殻体２の外周面１０ｂ,２０ｂの全面にわたって平滑な同一色とした場合では、外観から錘部材３の設置方向を把握することができない。そのため、転がし玩具１の転がり方に違いが生じる要因（転がし方向Ａと錘部材３の設置方向とのずれ）を知ることができず、転がし玩具１で遊ぶ人に不思議な印象を与えることができる。
【００４３】
そして、実施例１の転がし玩具１では、外殻体２の外周面１０ｂ,２０ｂに、錘部材３の配置位置を示すイラスト４（目印）が設けられている。
そのため、転がし玩具１の意匠性を向上することができると共に、錘部材３の配置位置や設置方向を、外殻体２の外観から把握させることができる。つまり、イラスト４の中心位置を転がし方向Ａに正対させることで、転がし方向Ａと錘部材３の設置方向とを一致させることができる。これにより、転がし玩具１を転がす際、円滑に回転する方向を把握できて、狙い通りの方向に容易に転がすことができる。
また、実施例１のように、イラスト４が、犬等のキャラクターの顔を模した図柄の場合では、転がし玩具１の回転中に伴うイラスト４の動きが、犬等のキャラクターが前転をしているように見え（図６参照）、さらに意匠性を向上することができる。
【００４４】
また、この実施例１の転がし玩具１では、外殻体２の第１外殻体１０の外周面１０ｂに、鈍端Ｄを中心とした所定の円形領域を平坦な面にした平坦部１５が形成されている。そのため、鈍端Ｄを下側にした状態で、転がし玩具１を比較的容易に起立させることができる。
これにより、例えば、複数の転がし玩具１をボーリングのピンに見立てて起立させ、起立した複数の転がし玩具１に向かって、他の転がし玩具１を転がし、ボーリングのようにして遊ぶ等、転がし玩具１を単に転がしたり立てたりするだけでなく、ゲーム性を持たせた遊びに使用することもできる。
【００４５】
さらに、実施例１の転がし玩具１では、外殻体２を合成樹脂である非磁性材料によって形成し、錘部材３を鉄等の磁性金属によって形成している。そのため、転がし玩具１を磁石につけることができ、例えば、糸の先に設けた磁石によって、転がし玩具１を釣り上げて遊ぶ等の使い方が可能になり、遊びの幅を広げることができる。しかも、外殻体２を非磁性材料によって形成したことで、錘部材３の配置位置でなければ磁石はつかない。このため、転がし玩具１を釣り上げる際に工夫が必要となり、面白さを深めることができる。
また、転がし玩具１が磁石につくため、磁気を帯びたプレート等の上に転がし玩具１を起立状態で静止させることができ、より安定して起立させることもできる。
【００４６】
そして、実施例１の転がし玩具１は、第１外殻体１０と第２外殻体２０を結合して外殻体２を形成した際、第１外殻体１０に形成された一対の補強リブ１３Ａ,１３Ｂと、第２外殻体２０に形成された一対の補強リブ２３Ａ,２３Ｂとの端部が接触し、外殻体２の内部空間が仕切られる。また、一対の補強リブ１３Ａ,１３Ｂ及び一対の補強リブ２３Ａ,２３Ｂは、それぞれ錘支持部１２,２２の一対の壁面１２ａ,１２ａ,２２ａ,２２ａを挟んで平行に対向しているので、錘支持部１２,２２によって支持された錘部材３に干渉することはない。
【００４７】
すなわち、この転がし玩具１は、外殻体２の内部に、内周面１０ａ,２０ａから起立し、錘部材３に干渉しない位置で外殻体２の内部空間を仕切る補強リブ１３Ａ,１３Ｂ,２３Ａ,２３Ｂを有している。
そのため、中空の外殻体２の強度を向上することができ、例えば転がし玩具１を落下させた際の破損を防止することができる。
【００４８】
次に、効果を説明する。
実施例１の転がし玩具にあっては、下記に列挙する効果を得ることができる。
【００４９】
(1) 卵型の外形を呈する中空の外殻体２と、
前記外殻体２の内周面１０ａ,２０ａに設けられた錘部材３と、を備え、
前記錘部材３は、前記外殻体２の長手方向に沿って、前記内周面１０ａ,２０ａの全周に配置されている構成とした。
これにより、卵型の外殻体２を、長軸周りに存在する多数の長手方向の中から任意に選択された長手方向（錘部材３の設置方向）のみに沿って円滑に回転させることができる。
【００５０】
(2) 前記外殻体２の外周面１０ｂには、前記錘部材３の配置位置に対応する位置の一部であって、鈍端Ｄを含む領域に平坦面１５が形成されている構成とした。
これにより、(1)の効果に加え、鈍端Ｄを下側にした状態で、外殻体２を容易に起立させることができ、転がし玩具１を用いた遊びの幅を広げることができる。
【００５１】
(3) 前記外殻体２の外周面１０ｂ,２０ｂには、前記錘部材３の配置位置を示す目印（イラスト４）が設けられている構成とした。
これにより、(1)又は(2)の効果に加え、転がし玩具１を円滑に回転させることができる方向を外観から把握することができ、狙いの方向に容易に転がすことができる。
【００５２】
(4) 前記外殻体２は、非磁性材料で形成され、前記錘部材３は、磁性金属によって形成されている構成とした。
これにより、(1)〜(3)のいずれかの効果に加え、転がし玩具１を磁石につけることが可能となって、この転がし玩具１を用いた遊びの幅を広げたり、安定して起立させたりすることができる。
【００５３】
(5) 前記外殻体２は、内周面１０ａ,２０ａから起立し、前記錘部材３に干渉しない位置で内部空間を仕切る補強リブ１３Ａ,１３Ｂ,２３Ａ,２３Ｂを有している構成とした。
これにより、(1)〜(4)のいずれかの効果に加え、中空の外殻体２の強度を向上することができる。
【００５４】
以上、本発明の転がし玩具を実施例１に基づき説明してきたが、具体的な構成については、この実施例に限られるものではなく、特許請求の範囲の各請求項に係る発明の要旨を逸脱しない限り、設計の変更や追加等は許容される。
【００５５】
実施例１の転がし玩具１では、外殻体２の外周面１０ｂ,２０ｂにはイラスト４以外の目印は設けられていないが、これに限らない。例えば、図９に示すように、錘部材３の配置位置に沿って延びる帯状の平坦面３０を形成してもよい。なお、「帯状の平坦面」とは、外殻体２の外周面１０ｂ,２０ｂの一部をへこませて平らにした面を、錘部材３の配置位置に沿って延在した面である。
【００５６】
図９に示すように、錘部材３の配置位置に沿って平坦面３０を外周面１０ｂ,２０ｂに形成することで、錘部材３の配置位置を容易に把握させることができるだけでなく、外殻体２を錘部材３の配置位置に沿って回転させたときの外殻体２と転がり面との接触面積を、外殻体２を錘部材３の配置位置とは異なる方向に回転させたときの外殻体２と転がり面との接触面積よりも大きくすることができる。
これにより、外殻体２を錘部材３の配置位置に沿って回転させた際、さらに安定的に回転させることができる。
【００５７】
なお、図９では、第１外殻体１０に形成した平坦面３０は、鈍端Ｄを起点として、開口１１までの長軸方向約三分の一程度の領域に形成されている。また、第２外殻体２０に形成した平坦面３０は、尖端Ｓを起点として、開口２１までの長軸方向約三分の一程度の領域に形成されている。
そのため、鈍端Ｄを下側にした状態で転がし玩具１を立てたときに正面になる位置に、平坦面３０が形成されることがない。これにより、外殻体２の外周面１０ｂ,２０ｂに設けたイラスト４の正面に平坦面３０が重複することを防止でき、転がし玩具１の見栄えの向上を図ることができる。
【００５８】
さらに、実施例１では、第２外殻体２０に形成した貫通孔２６を、軸線Ｊ上に形成した例を示したが、これに限らない。例えば、イラスト４の後側に貫通孔２６を形成してもよい。この場合では、転がし玩具１を起立させた際、イラスト４を正面に向けたときには、貫通孔２６が見えにくくなり、見栄えの向上を図ることができる。
【００５９】
また、実施例１の転がし玩具１では、錘部材３が、２枚のプレート３ａ,３ａを重ね合わせて構成されている例を示した。しかしながら、これに限らない。プレートは一枚でもよく、また、プレートの枚数を任意に設定することで、錘部材３の重さや厚みを容易に調整することができる。
【００６０】
また、実施例１では、外殻体２が鈍端Ｄ側の第１外殻体１０と、尖端Ｓ側の第２外殻体２０とに二分割される例を示したが、これに限らない。外殻体２は、任意の数に分割可能であるし、長軸方向に沿って分割することも可能である。
【００６１】
さらに、実施例１では、誤飲時の気道確保のために、４か所の貫通孔１６及び２か所の貫通孔２６を外殻体２に形成した例を示したが、これに限らない。貫通孔１６,２６の数や位置については、任意に設定することが可能である。
【符号の説明】
【００６２】
１      転がし玩具
２      外殻体
１０    第１外殻体
１１    開口
１２    錘支持部
１３Ａ,１３Ｂ  補強リブ
１４    突起部
１５    平坦面
２０    第２外殻体
２１    開口
２２    錘支持部
２３Ａ,２３Ｂ  補強リブ
２４    凹溝部
３      錘部材
４      イラスト（目印）
【図１】
2017225536.tif 000003
【図２】
2017225536.tif 000004
【図３】
2017225536.tif 000005
【図４】
2017225536.tif 000006
【図５】
2017225536.tif 000007
【図６】
2017225536.tif 000008
【図７】
2017225536.tif 000009
【図８】
2017225536.tif 000010
【図９】
2017225536.tif 000011